(57)【要約】本発明は、無線通信システムでサービングセル（ｓｅｒｖｉｎｇ  ｃｅｌｌ）から隣接セル（ｎｅｉｇｈｂｏｒｉｎｇ  ｃｅｌｌ）へのセル再選択のためのセル再選択パラメータの値を設定する方法において、第１制御チャネルを通じてセル選択パラメータの第１グループの値を含む第１メッセージをネットワークから受信する段階と、該第１メッセージがセル選択パラメータの第２グループの値を含まない場合、サービングセルに対する既保存されたセル選択パラメータの値をセル選択パラメータの第２グループの値に割り当てる段階と、セル選択パラメータの第１及び第２グループの値を用いる前記セル再選択パラメータの値を算出する段階と、を含む、無線通信システムでセル再選択のためのデフォルト値（ｄｅｆａｕｌｔ  ｖａｌｕｅｓ）設定方法を提供する。
2010501133.tif 000002
【特許請求の範囲】
【請求項１】
無線通信システムでサービングセル（ｓｅｒｖｉｎｇ  ｃｅｌｌ）から隣接セル（ｎｅｉｇｈｂｏｒｉｎｇ  ｃｅｌｌ）へのセル再選択のためのセル再選択（ｒｅ−ｓｅｌｅｃｔｉｏｎ）パラメータの値を設定する方法であって、
第１制御チャネルを通じてセル選択パラメータの第１グループの値を含む第１メッセージをネットワークから受信する段階と、
前記第１メッセージが前記セル選択パラメータの第２グループの値を含まない場合、前記サービングセルに対する既保存された（ｐｒｅ−ｓｔｏｒｅｄ）前記セル選択パラメータの値を前記セル選択パラメータの前記第２グループの値に割り当てる段階と、
前記セル選択パラメータの第１及び第２グループの値を用いる前記セル再選択パラメータの値を算出する段階と、
を含む、セル再選択パラメータの値を設定する方法。
【請求項２】
前記セル選択パラメータは、第１隣接セルに対するパラメータである、請求項１に記載のセル再選択パラメータの値を設定する方法。
【請求項３】
前記第１制御チャネルは、パケット共通制御チャネル（ｐａｃｋｅｔ  ｃｏｍｍｏｎ  ｃｏｎｔｒｏｌ  ｃｈａｎｎｅｌ：ＰＣＣＣＨ）またはパケット関連制御チャネル（ｐａｃｋｅｔ  ａｓｓｏｃｉａｔｅｄ  ｃｏｎｔｒｏｌ  ｃｈａｎｎｅｌ：ＰＡＣＣＨ）であり、
前記第１メッセージは、パケット測定命令メッセージである、請求項１に記載のセル再選択パラメータの値を設定する方法。
【請求項４】
前記サービングセルに対する既保存された前記セル選択パラメータの値は、第２メッセージで第２制御チャネルを通じてネットワークから受信される、請求項１に記載のセル再選択パラメータの値を設定する方法。
【請求項５】
前記第２制御チャネルは、パケット放送制御チャネル（ｐａｃｋｅｔ  ｂｒｏａｄｃａｓｔ  ｃｏｎｔｒｏｌ  ｃｈａｎｎｅｌ：ＰＢＣＣＨ）であり、前記第２メッセージは、パケットシステム情報タイプ（ｐａｃｋｅｔ  ｓｙｓｔｅｍ  ｉｎｆｏｒｍａｔｉｏｎ  ｔｙｐｅ  ３：ＰＳＩ３）メッセージである、請求項４に記載のセル再選択パラメータの値を設定する方法。
【請求項６】
前記セル選択パラメータの前記第２グループは、ＧＰＲＳ＿ＲＥＳＥＬＥＣＴ＿ＯＦＦＳＥＴ、ＧＰＲＳ＿ＴＥＭＰＯＲＡＲＹ＿ＯＦＦＳＥＴを含み、前記セル再選択パラメータのいずれか一つは、隣接セルから獲得した特定セルの選択に対するセル順位基準パラメータ（ｃｅｌｌ  ｒａｎｋｉｎｇ  ｃｒｉｔｅｒｉｏｎ  ｐａｒａｍｅｔｅｒ：Ｃ３２）であり、該Ｃ３２は、
C32(s)=C1(s)
C32(n)=C1(n)+GPRS_RESELECT_OFFSET(n)-TO(n)*(1-L(n))
と定義され、Ｃ３２(ｓ)、Ｃ３２(ｎ)はそれぞれ、前記サービングセルと前記隣接セルと関連したパラメータのセル順位を表し、Ｃ１(ｓ)、Ｃ１(ｎ)はそれぞれ前記サービングセルと前記隣接セルに対する経路損失基準パラメータ（ｐａｔｈ  ｌｏｓｓ  ｃｒｉｔｅｒｉｏｎ  ｐａｒａｍｅｔｅｒ）を表し、
前記ＧＰＲＳ＿ＲＥＳＥＬＥＣＴ＿ＯＦＦＳＥＴパラメータは、それぞれのセルにオフセット値とヒステリシス値（ｈｙｓｔｅｒｅｓｉｓ  ｖａｌｕｅ）のうち少なくとも一つを支援するためのものであり、
前記ＴＯ(ｎ)、Ｌ(ｎ)は
TO(n)=GPRS_TEMPORARY_OFFSET(n)*H(GPRS_PENALTY_TIME(n)-T(n))
L(n)=0  if  PRIORITY_CLASS(n)=PRIORITY_CLASS(s)
=1  if  PRIORITY_CLASS(n)≠PRIORITY_CLASS(s)
と定義され、
前記ＧＰＲＳ＿ＴＥＭＰＯＲＡＲＹ＿ＯＦＦＳＥＴは、タイマーＴが該当のセルで作動開始した後、前記ＧＰＲＳ＿ＰＥＮＡＬＴＹ＿ＴＩＭＥの間に前記Ｃ３２に適用されるネガティブオフセット（ｎｅｇａｔｉｖｅ  ｏｆｆｓｅｔ）を表し、前記ＧＰＲＳ＿ＲＥＳＥＬＥＣＴ＿ＯＦＦＳＥＴ(ｎ)、前記ＧＰＲＳ＿ＴＥＭＰＯＲＡＲＹ＿ＯＦＦＳＥＴ(ｎ)の値はそれぞれ、０と定義される、請求項４に記載のセル再選択パラメータの値を設定する方法。
【発明の詳細な説明】
【技術分野】
【０００１】
本発明は、デフォルト値の設定方法に関するもので、より詳細には、無線通信システムにおけるセル再選択のためのデフォルト値の設定方法に関する。
【背景技術】
【０００２】
ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）は異なる通信システムと結び付けるように開発され、一般パケット無線サービス（Ｇｅｎｅｒａｌ  Ｐａｃｋｅｔ  Ｒａｄｉｏ  Ｓｅｒｖｉｃｅ：ＧＰＲＳ）は、ＧＳＭシステムにパケット交換データ（ｐａｃｋｅｔ  ｓｗｉｔｃｈｅｄ  ｄａｔａ）を導入した。ＧＰＲＳは、送るデータがある伝送時にのみ、多数の使用者が同一伝送チャネルを共有できるパケットデータサービスを提供する。ＧＳＭは、無線資源（ｒａｄｉｏ  ｒｅｓｏｕｒｃｅ：ＲＲ）連結を確立し、ＲＲ連結期間中に、回線交換データ（ｃｉｒｃｕｉｔ  ｓｗｉｔｃｈｅｄ  ｄａｔａ）の全帯域幅（ｆｕｌｌ  ｂａｎｄｗｉｄｔｈ）を保存する回線交換データサービスとして見なされることができる。パケットデータサービスとの差異点は、パケットデータサービスが、間歇的にデータを単に送信または受信する使用者がより多く利用するように提供しながら、いかなる瞬間でもこれら使用者が実質的に送るように動的に与えられる全体利用可能な帯域幅を有するということである。
【０００３】
ＥＤＧＥ（Ｅｎｈａｎｃｅｄ  Ｄａｔａ  Ｒａｔｅ  ｆｏｒ  ＧＳＭ  Ｅｖｏｌｕｔｉｏｎ）は、ＧＳＭ／ＧＰＲＳネットワークに８−ＰＳＫ（８−ｐｈａｓｅ  ｓｈｉｆｔ  ｋｅｙｉｎｇ）を導入したし、変調方式として８−ＰＳＫの他にＧＳＭのＧＭＳＫ（Ｇａｕｓｓｉａｎ  Ｍｉｎｉｍｕｍ  Ｓｈｉｆｔ  Ｋｅｙｉｎｇ）を用いることができる。ＧＰＲＳの変調方式を除いてＧＰＲＳの非変調技術の大部分がＥＤＧＥに適用されることができる。
【０００４】
ＧＳＭ、ＧＰＲＳ、ＥＤＧＥシステムで移動局（ＭＳ）は、遊休モード（ｉｄｌｅ  ｍｏｄｅ）、パケット伝送モード（ｐａｃｋｅｔ  ｔｒａｎｓｆｅｒ  ｍｏｄｅ）、パケット遊休モード（ｐａｃｋｅｔ  ｉｄｌｅ  ｍｏｄｅ）、及びデュアル伝送モード（ｄｕａｌ  ｔｒａｎｓｆｅｒ  ｍｏｄｅ）などのような様々な動作モードを持つことができる。ここで、パケット遊休モード（ｐａｃｋｅｔ  ｉｄｌｅ  ｍｏｄｅ）は、パケット交換（ｐａｃｋｅｔ  ｓｗｉｃｈｅｄ：ＰＳ）方式に基盤するもので、移動局（ｍｏｂｉｌｅ  ｓｔａｔｉｏｎ：ＭＳ）とネットワーク間にトラフィックが存在しない場合のための通信モードである。
【０００５】
周知の如く、移動局（ＭＳ）は、セル／セクター間で移動性を享受｛きょうじゅ｝することができ、遊休モード（ｉｄｌｅ  ｍｏｄｅ）などの様々なモードにおいて一つのセル／セクターから他のセル／セクターに移動することができる。言い換えると、移動局（ＭＳ）は、遊休モード中に、現在自分の属しているセルであるソースセル（ｓｏｕｒｃｅ  ｃｅｌｌ）から、進入または移動するために探すセルであるターゲットセル（ｔａｒｇｅｔ  ｃｅｌｌ）へ移動でき、このような一連の過程をセル再選択（ｃｅｌｌ  ｒｅ−ｓｅｌｅｃｔｉｏｎ）という。
【発明の概要】
【発明が解決しようとする課題】
【０００６】
本発明は従来技術の限界と短所による一つ以上の問題を解決するために提案されたもので、その目的は、無線通信システムでサービングセル（ｓｅｒｖｉｎｇ  ｃｅｌｌ）から隣接セル（ｎｅｉｇｈｂｏｒｉｎｇ  ｃｅｌｌ）へとセル再選択をするためにセル再選択パラメータの値を設定する方法を提供することにある。
【課題を解決するための手段】
【０００７】
上記目的を達成するために、本発明の特徴による無線通信システムにおいてサービングセル（ｓｅｒｖｉｎｇ  ｃｅｌｌ）から隣接セル（ｎｅｉｇｈｂｏｒｉｎｇ  ｃｅｌｌ）へのセル再選択のためにセル再選択（ｒｅ−ｓｅｌｅｃｔｉｏｎ）パラメータの値を設定する方法は、第１制御チャネルを通じてセル選択パラメータの第１グループの値を含む第１メッセージをネットワークから受信する段階と、該第１メッセージがセル選択パラメータの第２グループの値を含まない場合、サービングセルに対する既保存された（ｐｒｅ−ｓｔｏｒｅｄ）セル選択パラメータの値を、セル選択パラメータの第２グループの値に割り当てる段階と、これらセル選択パラメータの第１及び第２グループの値を用いるセル再選択パラメータの値を算出する段階と、を含んでなることができる。
【０００８】
好ましくは、セル選択パラメータは第１隣接セルに対するパラメータであり、第１制御チャネルはパケット共通制御チャネル（ｐａｃｋｅｔ  ｃｏｍｍｏｎ  ｃｏｎｔｒｏｌ  ｃｈａｎｎｅｌ：ＰＣＣＣＨ）またはパケット関連制御チャネル（ｐａｃｋｅｔ  ａｓｓｏｃｉａｔｅｄ  ｃｏｎｔｒｏｌ  ｃｈａｎｎｅｌ：ＰＡＣＣＨ）であり、第１メッセージはパケット測定命令メッセージでありうる。また、サービングセルに対する既保存されたセル選択パラメータの値は、第２メッセージで第２制御チャネルを通じてネットワークから受信され、第２制御チャネルはパケット放送制御チャネル（ｐａｃｋｅｔ  ｂｒｏａｄｃａｓｔ  ｃｏｎｔｒｏｌ  ｃｈａｎｎｅｌ：ＰＢＣＣＨ）であり、第２メッセージはパケットシステム情報タイプ（ｐａｃｋｅｔ  ｓｙｓｔｅｍ  ｉｎｆｏｒｍａｔｉｏｎ  ｔｙｐｅ  ３：ＰＳＩ３）メッセージであることが好ましい。
【０００９】
ここで、セル選択パラメータの第２グループは、ＧＰＲＳ＿ＲＥＳＥＬＥＣＴ＿ＯＦＦＳＥＴ、ＧＰＲＳ＿ＴＥＭＰＯＲＡＲＹ＿ＯＦＦＳＥＴを含み、これらセル再選択パラメータのいずれか一つは、隣接セルから獲得した特定セルの選択に対するセル順位基準パラメータ（ｃｅｌｌ  ｒａｎｋｉｎｇ  ｃｒｉｔｅｒｉｏｎ  ｐａｒａｍｅｔｅｒ：Ｃ３２）であり、このＣ３２は、
C32(s)=C1(s)
C32(n)=C1(n)+GPRS_RESELECT_OFFSET(n)-TO(n)*(1-L(n))
と定義され、Ｃ３２(ｓ)、Ｃ３２(ｎ)はそれぞれ、サービングセルと隣接セルと関連したパラメータのセル順位を表し、Ｃ１(ｓ)、Ｃ１(ｎ)はそれぞれ、サービングセルと隣接セルに対する経路損失基準パラメータ（ｐａｔｈ  ｌｏｓｓ  ｃｒｉｔｅｒｉｏｎ  ｐａｒａｍｅｔｅｒ）を表し、ＧＰＲＳ＿ＲＥＳＥＬＥＣＴ＿ＯＦＦＳＥＴパラメータは、それぞれのセルにオフセット値とヒステリシス値（ｈｙｓｔｅｒｅｓｉｓ  ｖａｌｕｅ）のうち少なくとも一つを支援するためのものであり、ＴＯ(ｎ)、Ｌ(ｎ)はそれぞれ、
TO(n)=GPRS_TEMPORARY_OFFSET(n)*H(GPRS_PENALTY_TIME(n)-T(n))
L(n)=0  if  PRIORITY_CLASS(n)=PRIORITY_CLASS(s)
=1  if  PRIORITY_CLASS(n)≠PRIORITY_CLASS(s)
と定義され、ＧＰＲＳ＿ＴＥＭＰＯＲＡＲＹ＿ＯＦＦＳＥＴは、タイマーＴが該当のセルで作動開始した後、ＧＰＲＳ＿ＰＥＮＡＬＴＹ＿ＴＩＭＥの間にＣ３２に適用されるネガティブオフセット（ｎｅｇａｔｉｖｅ  ｏｆｆｓｅｔ）を表し、ＧＰＲＳ＿ＲＥＳＥＬＥＣＴ＿ＯＦＦＳＥＴ(ｎ)、ＧＰＲＳ＿ＴＥＭＰＯＲＡＲＹ＿ＯＦＦＳＥＴ(ｎ)の値はそれぞれ０と定義されることが好ましい。
【発明の効果】
【００１０】
本発明によれば、無線通信システムでサービングセル（ｓｅｒｖｉｎｇ  ｃｅｌｌ）から隣接セル（ｎｅｉｇｈｂｏｒｉｎｇ  ｃｅｌｌ）へのセル再選択のためにセル再選択パラメータの値を設定する方法を提供することが可能になる。
【図面の簡単な説明】
【００１１】
【図１Ａ】ネットワークからのパケット測定命令メッセージの受信を示す例示図である。
【図１Ｂ】ネットワークからのパケット測定命令メッセージの算出を示す例示図である。
【図２】本発明によるデフォルト値の設定過程を例示するフローチャートである。
【発明を実施するための形態】
【００１２】
以下、本発明の好ましい実施例について図面を参照しつつ詳細に説明する。図面中、同一の構成要素には可能な限り同一の参考符号を付する。
【００１３】
図１Ａは、ネットワークからのパケット測定命令メッセージの受信を示す例示図である。
【００１４】
パケット測定命令メッセージを伝送することによって、ネットワークは移動局（ＭＳ）にセル再選択のために必要なパラメータを算出することを指示し、ネットワーク制御（ｎｅｔｗｏｒｋ  ｃｏｎｔｒｏｌ：ＮＣ）測定報告のための情報を提供する。もし、ＮＣ測定のためのパラメータが含まれない場合には、同一セットのメッセージに含まれた上述したパケット測定命令メッセージは相変らず有効なものと見なされることができる。
【００１５】
ネットワークから獲得したパケット測定命令メッセージは、ＰＣＣＣＨ（ｐａｃｋｅｔ  ｃｏｍｍｏｎ  ｃｏｎｔｒｏｌ  ｃｈａｎｎｅｌ）やＰＡＣＣＨ（ｐａｃｋｅｔ  ａｓｓｏｃｉａｔｅｄ  ｃｏｎｔｒｏｌ  ｃｈａｎｎｅｌ）上で伝達されることができる。もし、上記情報が一つのメッセージに適合していない場合（または、上記情報の大きさがメッセージ容量を越える場合）、残された情報は他のパケット測定命令メッセージで送られることができる。
【００１６】
図１Ｂは、ネットワークからのパケット測定命令メッセージの算出を示す例示図である。
【００１７】
図１Ｂを参照すると、移動局（ＭＳ）はセル再選択のための所定のパラメータを算出するために隣接セル測定報告のようなパケット測定命令メッセージに含まれた所定の情報を用いることができ、算出された情報を含むパケット測定報告メッセージをネットワークに伝送する。このパラメータ算出過程にデフォルト値も用いられることができる。
【００１８】
隣接セルと関連した情報の他にパケット測定命令メッセージについて以下に詳しく説明する。
【００１９】
パケット測定命令メッセージは、ＮＣ測定パラメータを含む。ＮＣ測定パラメータはサービングセルに関するパラメータを提供し、ＰＢＣＣＨ（ｐａｃｋｅｔ  ｂｒｏａｄｃａｓｔ  ｃｏｎｔｒｏｌ  ｃｈａｎｎｅｌ）またはＢＣＣＨ（ｂｒｏａｄｃａｓｔ  ｃｏｎｔｒｏｌ  ｃｈａｎｎｅｌ）のいずかでＧＰＲＳに対する周波数リスト偏差（増加／減少）を含むことができる。
【００２０】
表１のように、ＮＣ測定パラメータは、パケット測定命令メッセージにおいて選択的（ｏｐｔｉｏｎａｌ）構成要素として含まれる。
【００２１】
【表１】
2010501133.tif 000003
“ＮＣ  Ｍｅａｓｕｒｅｍｅｎｔ  Ｐａｒａｍｅｔｅｒｓ  ｓｔｒｕｃｔ”は、ネットワーク制御命令、ＮＣパラメータ、及びＮＣ周波数リスト構造（ＮＣ  ｆｒｅｑｕｅｎｃｅ  ｌｉｓｔ  ｓｔｒｕｃｔ）を含む。ネットワーク制御命令やいかなるＮＣパラメータの値でもメッセージのそれと異なるとしたら、最も高いＰＭＯ＿ＩＮＤＥＸの場合にパラメータの値は利用されたり有効と見なされ、その他の値はいずれも無視されることができる。
【００２２】
ＰＭＯ＿ＩＮＤＥＸフィールドとＰＭＯ＿ＣＯＵＮＴフィールドの目的は、パケット測定命令メッセージのシーケンス内の個別メッセージの数を指示し、これらをそれぞれ識別するためのインデックスを割り当てることにある。ＰＭＯ＿ＩＮＤＥＸフィールドは、０から７までの範囲内で２進符号（ｂｉｎａｒｙ  ｃｏｄｅ）化され、個別パケット測定命令メッセージを識別するためのインテックスを提供する。同様に、ＰＭＯ＿ＣＯＵＮＴフィールドは、０から７までの範囲内で２進符号（ｂｉｎａｒｙ  ｃｏｄｅ）化され、最後（最も高くインデックスされた）のメッセージに対するＰＭＯ＿ＩＮＤＥＸ値を提供する。さらに、測定命令は、パケット測定命令メッセージのあらゆるインスタンスが受信されるまで移動局（ＭＳ）に影響を受けない。
【００２３】
グローバルＴＦＩフィールドが存在すると、この情報構成要素（ｉｎｆｏｒｍａｔｉｏｎ  ｅｌｅｍｅｎｔ：ＩＥ）は、パケット測定命令メッセージが伝達される移動局（ＭＳ）を表し、３２ビットフィールドであるＴＬＬＩ／Ｇ−ＲＮＴＩが存在すると、このフィールドもまたこのメッセージが伝達される移動局（ＭＳ）を表す。
【００２４】
選択的要素として、パケット測定命令メッセージはＮＣ測定パラメータを含んでも、含まなくても良い。このメッセージがこのようなパラメータを含む場合、ＮＣ測定パラメータの構造は、表２のようになる。
【００２５】
【表２】
2010501133.tif 000004
表２を参照すると、ＮＣ測定パラメータは、選択的構成要素の他に必須構成要素も含む。より詳細には、必須要件として、ＮＣ測定パラメータはＮＥＴＷＯＲＫ＿ＣＯＮＴＲＯＬ＿ＯＲＤＥＲパラメータを含めば良い。なお、選択的パラメータとして、ＮＣ＿ＲＥＰＯＲＴＩＮＧ＿ＰＥＲＩＯＤ＿Ｉ、ＮＣ＿ＲＥＰＯＲＴＩＮＧ＿ＰＥＲＩＯＤ＿Ｔ、及びＮＣ＿ｆｒｅｑｕｅｎｃｙ＿ＬＩＳＴを含めば良い。これら選択的パラメータのそれぞれは、３ビットフィールドで表現されることができる。また、ＮＥＴＷＯＲＫ＿ＣＯＮＴＲＯＬ＿ＯＲＤＥＲフィールドは、下記の表３によって符号化されることができる。
【００２６】
【表３】
2010501133.tif 000005
ＮＣ測定パラメータの構成要素であるＮＣ＿ｆｒｅｑｕｅｎｃｙ＿ＬＩＳＴパラメータは選択的構成要素として提供されることができるが、ＮＣ＿ＦＲＥＱＵＥＮＣＹ＿ＬＩＳＴが存在する場合、このリストの構造例は下記の表４のようになる。
【００２７】
【表４】
2010501133.tif 000006
太字で強調されたように、追加された周波数構造（Ｌｉｓｔ  ｏｆ  ａｄｄｅｄ  Ｆｒｅｑｕｅｎｃｙ  ｓｔｒｕｃｔ）のリストはＮＣ周波数リストに含まれることができる。表４に示すように、ＮＲ＿ＯＦ＿ＲＥＭＯＶＥＤ＿ＦＲＥＱは５ビットフィールドであり、１＋ｖａｌ(ＮＲ＿ＯＦ＿ＲＥＭＯＶＥＤ＿ＦＲＥＱ)は、このリストでＮＣ測定に用いられなくても良い周波数の数を表し、パラメータＲＥＭＯＶＥＤ＿ＦＲＥＱ＿ＩＮＤＥＸのインスタンス数を提供する。
【００２８】
ＲＥＭＯＶＥＤ＿ＦＲＥＱ＿ＩＮＤＥＸは、６ビットフィールドであり、ＰＢＣＣＨやＢＣＣＨ上で送られたＧＰＲＳで除去される周波数に対するインデックスを表すのに用いられる。ＧＰＲＳリストのような異なるリストに除去されたり追加された周波数を含む変形リスト（ｄｅｖｉａｔｉｏｎ  ｌｉｓｔ）が“ＮＣ  ｆｒｅｑｕｅｎｃｙ  ｌｉｓｔ  ｓｔｒｕｃｔ”に含まれることができる。
【００２９】
セル選択パラメータ（ｃｅｌｌ  ｓｅｌｅｃｔｉｏｎ  ｐａｒａｍｅｔｅｒ）は、上記追加された周波数構造のリスト（ｌｉｓｔ  ｏｆ  ａｄｄｅｄ  ｆｒｅｑｕｅｎｃｙ  ｓｔｒｕｃｔｕｒｅ）の選択的構成要素の一つとして含まれることができる。したがって、太字で強調されたセル選択パラメータ（ｃｅｌｌ  ｓｅｌｅｃｔｉｏｎ  ｐａｒａｍｅｔｅｒ）が、追加された周波数構造体のリスト（ｌｉｓｔ  ｏｆ  ａｄｄｅｄ  ｆｒｅｑｕｅｎｃｙ  ｓｔｒｕｃｔｕｒｅ）に含まれるとしたら、セル選択パラメータを含むセル構造は、表５のようになる。
【００３０】
【表５】
2010501133.tif 000007
表５を参照すると、“Ａｄｄ  Ｆｒｅｑｕｅｎｃｙ  ｌｉｓｔ  ｓｔｒｕｃｔ”は、ＮＣパラメータに対する周波数リストを含む。ＳＴＡＲＴ＿ＦＲＥＱＵＥＮＣＹ、ＦＲＥＱ＿ＤＩＦＦ＿ＬＥＮＧＴＨ、及びＦＲＥＱＵＥＮＣＹ＿ＤＩＦＦはそれぞれ、１０ビットフィールド、３ビットフィールド、（１＋ｖａｌ（ＦＲＥＱ＿ＤＩＦＦ＿ＬＥＮＧＴＨ））ビットフィールドで表され、ＢＳＩＣは、６ビットフィールドであり、０〜６３の範囲で“基地局識別符号（Ｂａｓｅ  Ｓｔａｔｉｏｎ  Ｉｄｅｎｔｉｔｙ  Ｃｏｄｅ）”としてエンコーディングされる。
【００３１】
“Ａｄｄ  Ｆｒｅｑｕｅｎｃｙ  ｌｉｓｔ  ｓｔｒｕｃｔ”で“Ｃｅｌｌ  ｓｅｌｅｃｔｉｏｎ  ｐａｒａｍｅｔｅｒｓ”は、メッセージを通じて追加された最初の隣接セルに対して表すことができる。異常ケースとして、“Ｃｅｌｌ  ｓｅｌｅｃｔｉｏｎ  ｐａｒａｍｅｔｅｒｓ”が、メッセージを通じて追加された最初の隣接セルに対して省略される場合、サービングセルと同じパラメータがデフォルト値として適用されることができる。
【００３２】
なお、この“Ｃｅｌｌ  ｓｅｌｅｃｔｉｏｎ  ｐａｒａｍｅｔｅｒｓ”の構造は、表６のように表現されることができる。
【００３３】
【表６】
2010501133.tif 000008
表６を参照すると、ＧＰＲＳ＿ＲＸＬＥＶ＿ＡＣＣＥＳＳ＿ＭＩＮ、ＧＰＲＳ＿ＭＳ＿ＴＸＰＷＲ＿ＭＡＸ＿ＣＣＨ、ＧＰＲＳ＿ＴＥＭＰＯＲＡＲＹ＿ＯＦＦＳＥＴ、ＧＰＲＳ＿ＰＥＮＡＬＴＹ＿ＴＩＭＥ、ＧＰＲＳ＿ＲＥＳＥＬＥＣＴ＿ＯＦＦＳＥＴ、ＰＲＩＯＲＩＴＹ＿ＣＬＡＳＳＯＦＨＣＳパラメータ、ＨＣＳ＿ＴＨＲ、及びＳＩ１３＿ＰＢＣＣＨ＿ＬＯＣＡＴＩＯＮは、セル再選択に用いられることができる選択的パラメータである。パケット測定命令メッセージと関連して、隣接セルと関連したパラメータの全部または一部が含まれないとすれば、代替可能なデフォルト値はない。デフォルト値の利用不能を、考えられるケースと状況で説明すると、下記の通りである。
【００３４】
下記のケースまたは状況（ケース１〜３）に示すように、３ＧＰＰ  ＴＳ  ４４．０６０  Ｖ．６．１８．０の１２．２．９ｂ節に記述された表１１．２．９ｂ．２に、上記パケット測定命令メッセージの最初の隣接セルと関連したパラメータに対するデフォルト値が定義されており、また、３ＧＰＰ  ＴＳ  ４４．０６０  Ｖ．７．５．０．にも定義されている。
【００３５】
ケース１：パケット測定命令メッセージでｃｅｌｌ  ｓｅｌｅｃｔｉｏｎ  ｐａｒａｍｅｔｅｒｓが省略され、サービングセルにＰＣＣＣＨ（Ｐａｃｋｅｔ  Ｃｏｍｍｏｎ  Ｃｏｎｔｒｏｌ  Ｃｈａｎｎｅｌ）が与えられる場合。
【００３６】
【表７】
2010501133.tif 000009
このケースで表すように、‘ｃｅｌｌ  ｓｅｌｅｃｔｉｏｎ  ｐａｒａｍｅｔｅｒｓ’が、メッセージを通じて追加された第１隣接セルに対して省略されると、サービングセルと同じパラメータがデフォルト値として適用されることができる。
【００３７】
ケース２：パケット測定命令メッセージに“ｃｅｌｌ  ｓｅｌｅｃｔｉｏｎ  ｐａｒａｍｅｔｅｒｓ”が存在せず、また、ＰＣＣＣＨがサービングセルに存在しない場合。
【００３８】
【表８】
2010501133.tif 000010
ケース３：“ｃｅｌｌ  ｓｅｌｅｃｔｉｏｎ  ｐａｒａｍｅｔｅｒ”はパケット測定命令メッセージに存在するが、選択的パラメータの全部または一部が存在しない場合。
【００３９】
【表９】
2010501133.tif 000011
ＣＥＬＬ＿ＢＡＲ＿ＡＣＣＥＳＳ＿２、ＥＸＣ＿ＡＣＣ、ＳＡＭＥ＿ＲＡ＿ＡＳ＿ＳＥＲＶＩＮＧ＿ＣＥＬＬ、ＧＰＲＳ＿ＲＸＬＥＶ＿ＡＣＣＥＳＳ＿ＭＩＮ、ＲＸＬＥＶ＿ＡＣＣＥＳＳ＿ＭＩＮ、ＧＰＲＳ＿ＭＳ＿ＴＸＰＷＲ＿ＭＡＸ＿ＣＣＨ、ＧＰＲＳ＿ＭＳ＿ＴＸＰＷＲ＿ＭＡＸ＿ＣＣＨ、ＧＰＲＳ＿ＴＥＭＰＯＲＡＲＹ＿ＯＦＦＳＥＴ、ＧＰＲＳ＿ＰＥＮＡＬＴＹ＿ＴＩＭＥ、ＧＰＲＳ＿ＲＥＳＥＬＥＣＴ＿ＯＦＦＳＥＴ、ＨＣＳ＿ＴＨＲ、ＰＲＩＯＲＩＴＹ＿ＣＬＡＳＳ、ＳＩ１３＿ＰＢＣＣＨ＿ＬＯＣＡＴＩＯＮなどのパラメータは、３ＧＰＰ  ＴＳ  ４５．００８または３ＧＰＰ  ＴＳ  ４５．０６０に定義されているので、ここではその詳細説明は省略する。
【００４０】
さらに、上記ケース１〜３の可能性に対処するためのデフォルト値が提供される。パケットシステム情報タイプ３（ｐａｃｋｅｔ  ｓｙｓｔｅｍ  ｉｎｆｏｒｍａｔｉｏｎ  ｔｙｐｅ  ３：ＰＳＩ３）は、パケット測定命令メッセージの選択的パラメータに対するデフォルト値として用いられるパラメータを含む。ＰＳＩ３メッセージは一般的にＰＢＣＣＨを通じて伝達されるが、上記のケースではパケット測定命令メッセージがＰＣＣＣＨを基盤とすると記述されており、該デフォルト値の出処には不明確な点がある。
【００４１】
言い換えると、これらのパラメータがＰＣＣＣＨについて定義されており、ＰＢＣＣＨがＰＳＩ３メッセージから情報を獲得するために考慮されないので、移動局（ＭＳ）は効率的なセル再選択を行なうことができない恐れがある。
【００４２】
上述したように、移動局（ＭＳ）は無線通信システムであるセルから他のセルへと自由に移動でき、パケット遊休モード（ｐａｃｋｅｔ  ｉｄｌｅ  ｍｏｄｅ）にある間に他のセルへ移動することも可能である。ここで、移動局（ＭＳ）が現在位置しているセルはソースセル（ｓｏｕｒｃｅ  ｃｅｌｌ）とし、移動局（ＭＳ）が移動しようとするセルはターゲットセル（ｔａｒｇｅｔ  ｃｅｌｌ）とする。
【００４３】
移動局（ＭＳ）がパケット遊休モードにある間にソースセルからターゲットセルに移動する場合に、移動局（ＭＳ）はセル再選択を行なうことができる。セル再選択に先立って、ネットワークは移動局（ＭＳ）にパケット測定命令メッセージを伝送し、セル再選択のための様々な情報を測定するように移動局（ＭＳ）に要請する。
【００４４】
移動局（ＭＳ）は、パケット測定命令メッセージに含まれた隣接セル（またはリスト）に関連した情報を用いてセル再選択と関連した所定のパラメータを算出する。例えば、移動局（ＭＳ）はＣ３２のようなセル順位標準パラメータ（ｃｅｌｌ  ｒａｎｋｉｎｇ  ｃｒｉｔｅｒｉｏｎ  ｐａｒａｍｅｔｅｒ）を算出できる。Ｃ３２は、同一優先度を持つ隣接セルの中から特定セルを選択するのに用いられるもので、下記の数学式１で定義される。
【００４５】
【数１】
2010501133.tif 000012
上記の式１で、Ｃ３２(ｓ)とＣ３２(ｎ)はそれぞれ、サービングセル及び隣接セルと関連したセル順位基準パラメータを表し、Ｃ１(ｓ)及びＣ１(ｎ)はそれぞれ、サービングセル及び隣接セルに対する経路損失基準パラメータ（ｐａｔｈ  ｌｏｓｓ  ｃｒｉｔｅｒｉｏｎ  ｐａｒａｍｅｔｅｒ）を表す。Ｃ１は、下記の数学式２で定義される。
【００４６】
【数２】
2010501133.tif 000013
ここで、ＲＬＡ＿Ｐは受信レベル平均（ｒｅｃｅｉｖｅｄ  ｌｅｖｅｌ  ａｖｅｒａｇｅｓ）を表し、ＧＰＲＳ＿ＲＸＬＥＶ＿ＡＣＣＥＳＳ＿ＭＩＮは、システム接近のために移動局（ＭＳ）に要求される最小受信信号レベル（ｍｉｎｉｍｕｍ  ｒｅｃｅｉｖｅｄ  ｓｉｇｎａｌ  ｌｅｖｅｌ）を表し、ＧＰＲＳ＿ＭＳ＿ＴＸＰＷＲ＿ＭＡＸ＿ＣＣＨは、他の命令があるまでシステム接近のために移動局（ＭＳ）に要求される最大送信電力レベル（ｍａｘｉｍｕｍ  Ｔｘ  ｐｏｗｅｒ  ｌｅｖｅｌ）を表す。また、Ｐは、移動局（ＭＳ）の最大ＲＦ出力電力（ＲＦ  ｏｕｔｐｕｔ  ｐｏｗｅｒ）を表す。
【００４７】
一方、上記の数学式１でＧＰＲＳ＿ＲＥＳＥＬＥＣＴ＿ＯＦＦＳＥＴは、各セルに対して所定のオフセット及び／またはヒステリシス値（ｈｙｓｔｅｒｅｓｉｓ  ｖａｌｕｅ）を適用するためのものである。なお、ＴＯ(ｎ)及びＬ(ｎ)は、数学式３のように定義されることができる。
【００４８】
【数３】
2010501133.tif 000014
上記の数学式３を参照すると、ＧＰＲＳ＿ＴＥＭＰＯＲＡＲＹ＿ＯＦＦＳＥＴは、タイマーＴが該当のセルで作動開始した後、ＧＰＲＳ＿ＰＥＮＡＬＴＹ＿ＴＩＭＥの間にＣ３１／Ｃ３２に適用されるネガティブオフセット（ｎｅｇａｔｉｖｅ  ｏｆｆｓｅｔ）を表す。タイマーＴは、信号強度が最も強い搬送波のリストから選択された各セルに対して作動開始する。すなわち、タイマーＴは、最も強い信号を持つセルに対して作動開始する。移動局（ＭＳ）が、信号強度が最も強いセルの一つに移動すると、タイマーＴは０から始まることとなる。しかし、もし、セル再選択過程の間にサービングセルが上記リストに載せられたセルの一つであれば、タイマーＴはＧＰＲＳ＿ＰＥＮＡＬＴＹ＿ＴＩＭＥの値に設定される。また、Ｈ(ｘ)＝０(ｆｏｒ  ｘ＜０)，１(ｆｏｒ  ｘ≧１)と定義される。
【００４９】
上述したように、ＧＰＲＳ＿ＲＸＬＥＶ＿ＡＣＣＥＳＳ＿ＭＩＮ、ＧＰＲＳ＿ＭＳ＿ＴＸＰＷＲ＿ＭＡＸ＿ＣＣＨ、ＧＰＲＳ＿ＲＥＳＥＬＥＣＴ＿ＯＦＦＳＥＴ、ＧＰＲＳ＿ＴＥＭＰＯＲＡＲＹ＿ＯＦＦＳＥＴ、ＧＰＲＳ＿ＰＥＮＡＬＴＹ＿ＴＩＭＥ、ＰＲＩＯＲＩＴＹ＿ＣＬＡＳＳ及びＰＲＩＯＲＩＴＹ＿ＣＬＡＳＳ、ＨＣＳ＿ＴＨＲ、ＳＩ１３＿ＰＢＣＣＨ＿ＬＯＣＡＴＩＯＮパラメータは、選択的パラメータである。これらの選択的パラメータがパケット測定命令メッセージで第１隣接セルに対して省略される場合、その代わりにデフォルト値が用いられることができる。上述したように、セル再選択に当って、特にＰＢＣＣＨがサービングセルに存在するとしたら、ＰＣＣＣＨ／ＰＡＣＣＨ基盤のパケット測定命令メッセージでデフォルト値の利用と関連して複雑になることができる。
【００５０】
次の議論／例示では、セル再選択と関連したデフォルト値の設定に対してＰＢＣＣＨのようなＢＣＣＨ（ｂｒｏａｄｃａｓｔ  ｃｏｎｔｒｏｌ  ｃｈａｎｎｅｌ）で受信されるシステム情報を参照することを考慮する状況について述べる。
【００５１】
移動局（ＭＳ）の状況によって、その度にデフォルト値が設定されることができ、その４つのケースの例は、次の通りである。これをより具体的に説明するために、デフォルト値の設定過程を例示するフローチャートである図２を参照する。
【００５２】
ケース１：パケット測定命令で隣接セルに対する“ｃｅｌｌ  ｓｅｌｅｃｔｉｏｎ  ｐａｒａｍｅｔｅｒｓ”が存在しなく、サービングセルにＰＢＣＣＨ（ｐａｃｋｅｔ  ｂｒｏａｄｃａｓｔ  ｃｏｎｔｒｏｌ  ｃｈａｎｎｅｌ）が支援される場合
このような場合、移動局（ＭＳ）は、ＰＢＣＣＨを通じて受信したＰＳＩ３メッセージを参照でき、最初の隣接セルに対して受信されたパケット測定命令メッセージで省略されたパラメータに対するデフォルト値を設定／割当できる。すなわち、移動局（ＭＳ）はＰＳＩ３メッセージのパラメータ値を用いて、パケット測定命令メッセージでその値が提供されていない該当のパラメータには同一値を割り当て、残りのパラメータについては、予め定められたデフォルト値が用いられることができる。
【００５３】
ＰＢＣＣＨを通じて伝達され、必須パラメータ（ｍａｎｄａｔｏｒｙ  ｐａｒａｍｅｔｅｒｓ）が含まれるＰＳＩ３メッセージの構造は、下記の表１０の通りである。
【００５４】
【表１０】
2010501133.tif 000015
表１０を参照すると、ＰＳＩ３メッセージに含まれたサービングセルパラメータは、ＣＥＬＬ＿ＢＡＲ＿ＡＣＣＥＳＳ＿２、ＥＸＣ＿ＡＣＣ、ＧＰＲＳ＿ＲＸＬＥＶ＿ＡＣＣＥＳＳ＿ＭＩＮ、ＧＰＲＳ＿ＭＳ＿ＴＸＰＷＲ＿ＭＡＸ＿ＣＣＨ、ＭＵＬＴＩＢＡＮＤ＿ＲＥＰＯＲＴＩＮＧ、ＨＣＳ＿ＴＨＲ  ｏｆ  ＨＣＳ  ｓｔｒｕｃｔ、及びＰＲＩＯＲＩＴＹ＿ＣＬＡＳＳを含む。
【００５５】
ＨＣＳ  ｓｔｒｕｃｔがサービングセルに対して省略されるとすれば、ＨＣＳは利用されずに他のセルに対するＨＣＳパラメータは無視されることができる（すなわち、ＨＣＳ信号強度限界（ＨＣＳ  ｓｉｇｎａｌ  ｓｔｒｅｎｇｔｈ  ｔｈｒｅｓｈｏｌｄ）はいずれのセルに対しても無限に設定される）。そうでないと、ＰＲＩＯＲＩＴＹ＿ＣＬＡＳＳ及びＨＣＳ＿ＴＨＲは定義される。このＨＣＳパラメータの利用は３ＧＰＰ  ＴＳ  ４５．００８で定義される（表６参照）。
【００５６】
ケース１と関連したデフォルト値は、下記の表１１のように定義されることができる。
【００５７】
【表１１】
2010501133.tif 000016
ケース２：パケット測定命令メッセージで最初の隣接セルに対する“Ｃｅｌｌ  ｓｅｌｅｃｔｉｏｎ  ｐａｒａｍｅｔｅｒｓ”が省略され、サービングセルにＰＢＣＣＨ（Ｐａｃｋｅｔ  Ｂｒｏａｄｃａｓｔ  Ｃｏｎｔｒｏｌ  Ｃｈａｎｎｅｌ）が存在しない場合。
【００５８】
【表１２】
2010501133.tif 000017
表１２を参照すると、ＰＢＣＣＨはサービングセルに存在しない。
【００５９】
この場合、ＰＢＣＣＨを通じてＰＳＩ３を受け取ることができないから、移動局（ＭＳ）は、隣接セルに対する必須パラメータに対してデフォルト値を適用するために、ＢＣＣＨ（Ｂｒｏａｄｃａｓｔ  Ｃｏｎｔｒｏｌ  Ｃｈａｎｎｅｌ）を通じて伝達されるＳＩ３（Ｓｙｓｔｅｍ  Ｉｎｆｏｒｍａｔｉｏｎ  Ｔｙｐｅ３）メッセージに依存することができる。
【００６０】
上記と同様に、移動局（ＭＳ）はＳＩ３メッセージのパラメータ値を用いて、その値がパケット測定命令メッセージに提供されていない該当のパラメータに同一値を割り当てる。ここで、ＳＩ３メッセージに含まれるコンテンツの種類を、表１３に示す。
【００６１】
【表１３】
2010501133.tif 000018
太字で強調されたセル再選択パラメータの情報構成要素（ｉｎｆｏｒｍａｔｉｏｎ  ｅｌｅｍｅｎｔ：ＩＥ）のより詳細な説明を、表１４に示す。
【００６２】
【表１４】
2010501133.tif 000019
上記ＳＩ３に含まれているセル選択パラメータリストは、セル選択パラメータＩＥリストを含む。さらに、ＭＳ＿ＴＸＰＷＲ＿ＭＡＸ＿ＣＣＨ及びＲＸＬＥＶ＿ＡＣＣＥＳＳ＿ＭＩＮのような必須パラメータは、セル選択パラメータＩＥリストのＯｃｔｅｔ  ２及びＯｃｔｅｔ  ３のような記述されたオクテットに割り当てられている。
【００６３】
上記ケース２に対する第１隣接セルのデフォルト値を、下記の表１５に示す。
【００６４】
【表１５】
2010501133.tif 000020
ケース３：第１隣接セルに対するセル選択パラメータはパケット測定命令メッセージに存在するが、選択的パラメータの一部は存在せず、ＰＢＣＣＨはサービングセルで存在しない場合。
【００６５】
この場合に、ＢＣＣＨを通じて伝達されるＳＩ３（ｓｙｓｔｅｍ  Ｉｎｆｏｒｍａｔｉｏｎ  Ｔｙｐｅ  ３）メッセージは、移動局（ＭＳ）が第１隣接セルに対する必須なデフォルト値を適用するのに参照することができる。移動局（ＭＳ）は、ＳＩ３メッセージのパラメータ値を用いて、パケット測定命令メッセージでその値が存在しない該当のパラメータに対して同一値を割り当てる。さらに、このメッセージに存在しない選択的パラメータは、下記の表１６に表すパラメータに影響を受けることができる。
【００６６】
【表１６】
2010501133.tif 000021
ケース４：パケット測定命令メッセージに第１隣接セルに対するセル選択パラメータは存在するが、選択的パラメータの一部が省略され、サービングセルにＰＢＣＣＨが与えられた場合。
【００６７】
これは、下記の表１７を通じて確認できる。
【００６８】
【表１７】
2010501133.tif 000022
表１７を参照すると、ＰＢＣＣＨが存在しないがためＳＩ３メッセージを参照するケース２及びケース３とは違い、ケース４でＰＢＣＣＨはサービングセルに存在するので第１隣接セルに対するデフォルト値を適用するのにＰＳＩ３メッセージを参照することができる。移動局（ＭＳ）は、ＰＳＩ３メッセージのパラメータ値を用いてその値がパケット測定命令メッセージで存在しない該当のパラメータに同一値を適用する。
【００６９】
上記ケース１〜４の実施例で、サービングセルのＰＢＣＣＨは第１隣接セルに対するデフォルト値を適用するのに参照され、このデフォルト値はＰＢＣＣＨまたはＢＣＣＨのそれぞれで伝達されるＰＳＩ３やＳＩ３から由来したりこれを基盤にすることができる。詳しくは、セル選択パラメータは存在するが、あるパラメータを支援しなく、ＰＳＩ３またはＳＩ３メッセージで支援されるパラメータ値を用いる。さらに、ＧＰＲＳ＿ＴＥＭＰＯＲＡＲＹ＿ＯＦＦＳＥＴパラメータに対するデフォルト値は“０”に設定されることができ、ＧＰＲＳ＿ＰＥＮＡＬＴＹ＿ＴＩＭＥパラメータに対するデフォルト値は“ｕｎｄｅｆｉｎｅｄ”に設定し、上記の数学式１でＣ３２(ｓ)＝Ｃ１(ｓ)、Ｃ３２(ｎ)＝Ｃ１(ｎ)が成立するようにする。
【００７０】
以上のセル再選択に関連する説明は、セル再選択過程を行なうのに使用可能な無線通信システム関連装置で具現されることができる。
【００７１】
本発明の属する技術分野における通常の知識を持つ者にとっては、本発明の技術的思想を逸脱しない範囲内で様々な置換、変形及び変更が可能であり、よって、本発明は前述した実施例及び添付の図面に限定されることはない。
【図１Ａ】
2010501133.tif 000023
【図１Ｂ】
2010501133.tif 000024
【図２】
2010501133.tif 000025
【国際調査報告】
2010501133.tif 000026
2010501133.tif 000027
2010501133.tif 000028
2010501133.tif 000029